(57)【要約】【課題】眼鏡を使用したときの側頭部への圧迫感をなくし、長時間に亘って装着することができるヘッドマウントディスプレイ装置を提供する。【解決手段】使用者Ｍの後頭部に装着され、両端部で側頭部を押圧するリアアーム１０と、このリアアーム１０の両端部に設けられ、左右の耳に装着されるスピーカ部１５，１６とを備えているヘッドマウントディスプレイ装置において、耳の周囲に押し当てられるパッド部１５Ａ，１６Ａに眼鏡５０の蔓５１，５２が通過可能な切欠部１５Ｂ，１６Ｂを形成し、パッド部１５Ａ，１６Ａが蔓５１，５２を押圧しないようにした。【選択図】      図２
2004233878.tif 000002
【特許請求の範囲】
【請求項１】
頭部に装着され、両端部で側頭部を押圧するアームと、
このアームの両端部に設けられ、左右の耳に装着される装着手段と
を備えているヘッドマウントディスプレイ装置において、
前記装着手段は、
前記耳の周囲に押し当てられるパッド部と、
前記パッド部に形成され、眼鏡の蔓が通過可能な切欠部と
を有することを特徴とするヘッドマウントディスプレイ装置。
【請求項２】
前記パッド部のほぼ中央に形成され、耳穴に嵌合可能な装着手段固定用突起部を備えていることを特徴とする請求項１記載のヘッドマウントディスプレイ装置。
【請求項３】
頭部に装着され、両端部で側頭部を押圧するアームと、
このアームの両端部に設けられ、左右の耳に装着される装着手段と
を備えているヘッドマウントディスプレイ装置において、
前記装着手段のパッド部のほぼ中央に形成され、耳穴に嵌合可能な装着手段固定用突起を有することを特徴とするヘッドマウントディスプレイ装置。
【発明の詳細な説明】
【０００１】
【発明の属する技術分野】
この発明は頭部に装着して映像を見ることができるヘッドマウントディスプレイ装置に関する。
【０００２】
【従来の技術】
従来、ヘッドマウントディスプレイ装置として、耳を囲む領域に押し当てるパッドと、パッドを保持するホルダとを備えているものがある。使用者の聴覚を制限しないようにパッドの中央に開口が形成されている。
【０００３】
【特許文献】
特開平２０００−６６６１８号公報
【０００４】
【発明が解決しようとする課題】
しかし、このヘッドマウントディスプレイ装置を装着した状態で眼鏡を装着した場合、眼鏡の蔓部分がスピーカ部のパッドで押圧されるため、使用者は側頭部に圧迫感を受け、長時間の装着が困難になる。
【０００５】
この発明はこのような事情に鑑みてなされたもので、その課題は眼鏡を使用したときの側頭部への圧迫感をなくし、長時間に亘って装着することができるヘッドマウントディスプレイ装置を提供することである。
【０００６】
【課題を解決するための手段】
上記課題を解決するため請求項１記載の発明は、頭部に装着され、両端部で側頭部を押圧するアームと、このアームの両端部に設けられ、左右の耳に装着される装着手段とを備えているヘッドマウントディスプレイ装置において、前記装着手段は、前記耳の周囲に押し当てられるパッド部と、前記パッド部に形成され、眼鏡の蔓が通過可能な切欠部とを有することを特徴とする。
【０００７】
請求項２記載の発明は、請求項１記載のヘッドマウントディスプレイ装置において、前記パッド部のほぼ中央に形成され、耳穴に嵌合可能な装着手段固定用突起部を備えていることを特徴とする。
【０００８】
請求項３記載の発明は、頭部に装着され、両端部で側頭部を押圧するアームと、このアームの両端部に設けられ、左右の耳に装着される装着手段とを備えているヘッドマウントディスプレイ装置において、前記装着手段のパッド部のほぼ中央に形成され、耳穴に嵌合可能な装着手段固定用突起を有することを特徴とする。
【０００９】
【発明の実施の形態】
以下、この発明の実施の形態を図面に基づいて説明する。
【００１０】
図１はこの発明の一実施形態に係るヘッドマウントディスプレイ装置の斜視図である。
【００１１】
このヘッドマウントディスプレイ装置はリアアーム（アーム）１０とフロントアーム２０と映像表示部（表示手段）３０とを備えている。
【００１２】
リアアーム１０は円弧状である。リアアーム１０は使用者Ｍの頭部に装着され、その両端部が使用者Ｍの側頭部を押圧する。
【００１３】
リアアーム１０の両端部には使用者Ｍの左右の耳に装着されるスピーカ部（装着手段）１５，１６が取り付けられている。
【００１４】
スピーカ部１５，１６は、使用者Ｍの耳の周囲に押し当てられる椀形のパッド部１５Ａ，１６Ａと、パッド部１５Ａ，１６Ａに形成され、眼鏡５０の蔓５１，５２（図２及び図３参照）が通過可能な切欠部１５Ｂ，１６Ｂとを有する。
【００１５】
フロントアーム２０はリアアーム１０の一端部に支持される。フロントアーム２０はリアアーム１０と同様に円弧状である。フロントアーム２０はリアアーム１０に設けられた収容部４０に収容される。
【００１６】
映像表示部３０はフロントアーム２０の一端に支持され、使用者Ｍの一方の眼Ｅの前方に配置される。
【００１７】
図２は眼鏡装着者がヘッドマウントディスプレイ装置を装着した状態を説明する正面図、図３はその側面図である。但し、図２，３中スピーカ部は断面で表されている。
【００１８】
使用者Ｍは切欠部１５Ｂ，１６Ｂ（図３では切欠部１５Ｂだけが見えている）から眼鏡５０の蔓５１，５２をパッド部１５Ａ，１６Ａ内に挿入することができるため、ヘッドマウントディスプレイ装置を装着した状態で眼鏡５０を容易に装着することができる。
【００１９】
同様に、使用者Ｍはヘッドマウントディスプレイ装置を装着した状態で眼鏡５０を容易に外すことができる。
【００２０】
また、眼鏡５０を装着したとき、蔓５１，５２は切欠部１５Ｂ，１６Ｂと側頭部とで形成される空間に位置するので、蔓５１，５２がパッド部１５Ａ，１６Ａで押圧されない。
【００２１】
この実施形態によれば、蔓５１，５２がパッド部１５Ａ，１６Ａで押圧されないので、使用者Ｍは側頭部に圧迫感を受けることがなく、長時間に亘ってヘッドマウントディスプレイ装置を装着することができる。
【００２２】
図４はこの発明の変形例に係るヘッドマウントディスプレイ装置を説明する正面図であり、上記実施形態と共通する部分には同一符号を付してその説明を省略する。但し図４中スピーカ部は断面で表されている。
【００２３】
この変形例はスピーカ部１１５，１１６のパッド部１１５Ａ，１１６Ａのほぼ中央に使用者Ｍの耳穴に嵌合可能な装着手段固定用突起部１７を形成した点で上記実施形態と相違する。
【００２４】
装着手段固定用突起部１７は例えばイヤホンとして利用される。
【００２５】
この変形例によれば、上記実施形態と同様の効果を奏するとともに、装着手段固定用突起部１７を使用者Ｍの耳穴に嵌合させることによってリアアーム１０の両端部を耳に確実に保持させることができる。
【００２６】
また、パッド部１１５Ａ，１１６Ａで強く側頭部を支持しなくともスピーカ部１１５，１１６を確実に耳に保持させることができるので、眼鏡５０の蔓５１，５２で側頭部を強く押圧する必要がなくなる。
【００２７】
【発明の効果】
以上に説明したようにこの発明のヘッドマウントディスプレイ装置によれば、眼鏡を装着したときの側頭部への圧迫感をなくし、長時間に亘って装着することができる。
【図面の簡単な説明】
【図１】図１はこの発明の一実施形態に係るヘッドマウントディスプレイ装置の斜視図である。
【図２】図２は眼鏡装着者がヘッドマウントディスプレイ装置を装着した状態を説明する正面図である。
【図３】図３は眼鏡装着者がヘッドマウントディスプレイ装置を装着した状態を説明する側面図である。
【図４】図４はこの発明の変形例に係るヘッドマウントディスプレイ装置を説明する正面図である。
【符号の説明】
１０  リアアーム（アーム）
１５，１６  スピーカ部（装着手段）
１５Ａ，１６Ａ  パッド部
１５Ｂ，１６Ｂ  切欠部
５０  眼鏡
５１，５２  蔓
Ｍ  使用者
【図１】
2004233878.tif 000003
【図２】
2004233878.tif 000004
【図３】
2004233878.tif 000005
【図４】
2004233878.tif 000006